(57)【要約】      （修正有）【課題】流量を計数できる計数型磁力ポンプ及びその計数モジュールを提供する。【解決手段】計数型磁力ポンプ及びその計数モジュールであって、第１チャンバー１１１の内側に光遮断器１３が設けられ、少なくとも１つの遮光部材１４が第１チャンバー１１１に位置され、且つ回転軸１２１に套設して固定され、且つ回転軸１２１によって連動して回転され、少なくとも１つの遮光部材１４の少なくとも１つの遮光シート１４１が光遮断器１３の光源を周期的に遮断することによって、光遮断器１３が少なくとも１つの信号を形成させ、制御回路１５と光遮断器１３とを電気的に接続させ、少なくとも１つの信号を受信し、計数プログラムを実行させ、流量を計数する。【選択図】図１
0003213657.tif 000002
【実用新案登録請求の範囲】
【請求項１】
計数型磁力ポンプであって、前記計数型磁力ポンプは、メインハウジングと、モーターと、光遮断器と、少なくとも１つの遮光部材と、制御回路と、少なくとも１つの第１磁性素子と、隔板体と、蓋部と、回転部材と、第２磁性素子と、中心軸とを含み、
前記メインハウジングは、第１チャンバーを有し、前記メインハウジングの一端に貫通孔が設けられ、前記メインハウジングの他の一端に第１開口が設けられ、
前記モーターは、回転軸を有し、前記回転軸の一端が前記貫通孔を貫通し、
前記光遮断器は、前記回転軸の他の一端に配置され、
前記少なくとも１つの遮光部材は、前記回転軸に套設して固定され、前記回転軸によって連動して回転され、前記少なくとも１つの遮光部材が少なくとも１つの遮光シートを有し、前記光遮断器の光源を周期的に遮断し、且つ前記光遮断器が少なくとも１つの信号を形成し、
前記制御回路は、前記光遮断器に電気的に接続され、前記少なくとも１つの信号を受信して計数プログラムを実行し、
前記少なくとも１つの第１磁性素子は、前記第１チャンバーに配置され、且つ前記回転軸に套設して固定され、
前記隔板体は、前記メインハウジングの第１開口に配置され、前記隔板体の一端の中央部に第１凹部が設けられ、
前記蓋部は、前記隔板体の一端に蓋設され、且つ前記蓋部の内側に第２チャンバーが設けられ、上端部に吸込口が設けられ、側面に吐出口が設けられ、内側の一端に第３凹部が設けられ、前記第３凹部と前記第１凹部とお互いに対応し、
前記回転部材は、流体を動かせるように前記蓋部の第２チャンバー内に配置され、
前記第２磁性素子は、前記蓋部の第２チャンバー内に配置され、前記第１磁性素子の磁力を受けて運動エネルギーを生成し、
前記中心軸は、前記蓋部の第２チャンバー内に配置され、前記回転部材と前記第２磁性素子とを貫通して固定させ、且つ一端が前記第１凹部に配置され、他の一端が第３凹部に配置される、ことを特徴とする計数型磁力ポンプ。
【請求項２】
前記の少なくとも１つの遮光部材が２つの遮光シートを有する場合、
前記２つの遮光シートの成す角度が１８０°であり、
当該成す角度が前記光遮断器の光源遮断周期である、
ことを特徴とする請求項１に記載の計数型磁力ポンプ。
【請求項３】
前記の少なくとも１つの遮光部材が３つの遮光シートを有する場合、
前記３つの遮光シートの成す角度が１２０°であり、
当該成す角度が前記光遮断器の光源遮断周期である、
ことを特徴とする請求項１に記載の計数型磁力ポンプ。
【請求項４】
前記の少なくとも１つの遮光部材が４つの遮光シートを有する場合、
前記４つの遮光シートの成す角度が９０°であり、
当該成す角度が前記光遮断器の光源遮断周期である、
ことを特徴とする請求項１に記載の計数型磁力ポンプ。
【請求項５】
前記回転部材は羽根車群又はギア群を更に含む、
ことを特徴とする請求項１に記載の計数型磁力ポンプ。
【請求項６】
前記制御回路は前記計数プログラムを実行して制御信号を形成し、
且つ前記回転部材の動作を制御して流体の放出量を調節する
ことを特徴とする請求項１に記載の計数型磁力ポンプ。
【請求項７】
磁力ポンプに用いられる計数モジュールであって、前記計数モジュールは、光遮断器と、少なくとも１つの遮光部材と、制御回路とを含み、
前記光遮断器は、前記磁力ポンプにおける回転軸の一端に配置され、前記回転軸の他の一端がメインハウジングの第１チャンバーの一端にある貫通孔を貫通して位置され、且つ前記メインハウジングの他の一端に第１開口が設けられ、
前記少なくとも１つの遮光部材は、前記回転軸によって連動して回転され、特定の周期で前記光遮断器の光源を遮断することにより、前記光遮断器が光源を遮断する周期的な変化に応じて少なくとも１つの周期信号を生成させ、
前記制御回路は、前記光遮断器に電気的に接続され、前記少なくとも１つの信号を受信し、計数プログラムを実行する、ことを特徴とする磁力ポンプに用いられる計数モジュール。
【請求項８】
前記特定の周期は、前記回転軸の回転角度により計算され、
前記特定の周期は更に360度と、180度と、120度と、90度を含む、
ことを特徴とする請求項７に記載の磁力ポンプに用いられる計数モジュール。
【請求項９】
前記の少なくとも１つの遮光部材は、更に、回転する時に前記光遮断器の光源を遮断させるように、少なくとも１つの遮光シートを含み、
前記少なくとも１つの遮光シートが前記特定の周期を達成するような個数で前記回転軸に配列して設けられる、
ことを特徴とする請求項８に記載の磁力ポンプに用いられる計数モジュール。
【請求項１０】
前記磁力ポンプは、モーターと、少なくとも１つの第１磁性素子と、隔板体と、蓋部と、磁性回転モジュールと、中心軸とを含み、
前記モーターは、前記回転軸を回転させ、
前記少なくとも１つの第１磁性素子は、前記第１チャンバーに配置され、前記回転軸が前記第１磁性素子を套設して固定させ、前記回転軸を介して前記第１磁性素子を連動し、
前記隔板体は、前記メインハウジングの第１開口に配置され、且つ前記隔板体の一端の中央部に第１凹部が設けられ、
前記蓋部は、前記隔板体の一端に蓋設され、且つ前記蓋部の内側に第２チャンバーが設けられ、頂部に吸込口が設けられ、側面に吐出口が設けられ、前記蓋部の内側の一端に第３凹部が設けられ、前記第３凹部と前記第１凹部とはお互いに対応し、
前記磁性回転モジュールは、前記蓋部の第２チャンバー内に配置され、流体を動かせ、且つ前記少なくとも１つの第１磁性素子の磁力を受け、運動エネルギーを生成し、
前記中心軸は、前記蓋部の第２チャンバー内に配置され、回転部材と前記磁性回転モジュールとを貫通して固定させ、且つ一端が前記第１凹部に配置され、他の一端が第３凹部に配置される、
ことを特徴とする請求項７に記載の磁力ポンプに用いられる計数モジュール。
【請求項１１】
前記の磁性回転モジュールは羽根車群又はギア群を更に含む、
ことを特徴とする請求項１０に記載の磁力ポンプに用いられる計数モジュール。
【請求項１２】
前記磁性回転モジュールは、少なくとも１つの第２磁性素子を更に含み、
且つ前記蓋部の第２チャンバー内に配置され、
前記少なくとも１つの第１磁性素子の磁力を受けて運動エネルギーを生成する、
ことを特徴とする請求項１０に記載の磁力ポンプに用いられる計数モジュール。
【請求項１３】
計数型磁力ポンプであって、
前記計数型磁力ポンプは、メインハウジングと、モーターと、少なくとも１つの第１磁性素子と、計数装置と、隔板体と、蓋部と、磁性回転モジュールと、中心軸とを含み、
前記メインハウジングは、第１チャンバーを有し、前記メインハウジングの一端に貫通孔が設けられ、且つ前記メインハウジングの他の一端に第１開口が設けられ、
前記モーターは、前記貫通孔を貫通する回転軸を有し、
前記少なくとも１つの第１磁性素子は、前記第１チャンバーに配置され、且つ前記回転軸に套設されて固定され、
前記計数装置は、前記回転軸の回転によって連動され、特定の周期で光源の開閉効果を達成し、且つ前記計数装置が前記特定の周期で生成させる信号に応じて計数プログラムを実行し、
前記隔板体は、前記メインハウジングの第１開口に配置され、且つ前記隔板体の一端の中央部に第１凹部を設けられ、
前記蓋部は、前記隔板体の一端に蓋設され、且つ前記蓋部の内側に第２チャンバーが設けられ、頂部に吸込口が設けられ、側面に吐出口が設けられ、内側の一端に第３凹部が設けられ、前記第３凹部と前記第１凹部とはお互いに対応し、
前記磁性回転モジュールは、流体を動かせるように前記蓋部の第２チャンバー内に配置され、且つ前記少なくとも１つの第１磁性素子の磁力を受けて運動エネルギーを生成し、
前記中心軸は、前記蓋部の第２チャンバー内に配置され、前記磁性回転モジュールを貫通して固定させ、且つ一端が前記第１凹部に配置され、他の一端が第３凹部に配置される、ことを特徴とする計数型磁力ポンプ。
【請求項１４】
前記計数装置は、光遮断器と、少なくとも１つの遮光部材と、制御回路と、を更に含み、
前記光遮断器は、前記回転軸の一端に配置され、
前記少なくとも１つの遮光部材は、前記回転軸によって連動され、前記特定の周期で前記光遮断器の光源を遮断し、前記光遮断器が光源を遮断する特定の周期に応じて前記信号を生成させ、
前記制御回路は、前記光遮断器に電気的に接続され、前記周期信号を受信することにより前記計数プログラムを実行する、
ことを特徴とする請求項１３に記載の計数型磁力ポンプ。
【請求項１５】
前記特定の周期は、前記回転軸の回転角度により計算され、前記特定の周期は360度と、180度と、120度と、90度を含む、
ことを特徴とする請求項１４に記載の計数型磁力ポンプ。
【請求項１６】
前記少なくとも１つの遮光部材は、回転する時に前記光遮断器の光源を遮断させるように、少なくとも１つの遮光シートを含み、
前記少なくとも１つの遮光シートは、前記特定の周期を達成するような個数で前記回転軸に配列して設けられる、
ことを特徴とする請求項１５に記載の計数型磁力ポンプ。
【請求項１７】
前記制御回路は、前記計数プログラムを実行して制御信号を形成し、
且つ前記磁性回転モジュールの動作を制御して流体の放出量を調節する、
ことを特徴とする請求項１４に記載の計数型磁力ポンプ。
【請求項１８】
前記磁性回転モジュールは、羽根車群又はギア群を更に含む、
ことを特徴とする請求項１３に記載の計数型磁力ポンプ。
【請求項１９】
前記磁性回転モジュールは、少なくとも１つの第２磁性素子を更に含み、前記蓋部の第２チャンバー内に配置され、前記少なくとも１つの第１磁性素子の磁力を受けて運動エネルギーを生成する、
ことを特徴とする請求項１３に記載の計数型磁力ポンプ。
【考案の詳細な説明】
【技術分野】
【０００１】
本考案は計数型磁力ポンプ及び計数モジュールに関し、特に流量を計数できる計数型磁力ポンプ及びその遮光モジュールに関する。
【背景技術】
【０００２】
マイクロポンプの動作時において、水の吐出量を制御するためには、外接の流量計を設置して制御することが一般である。しかし、外接の流量計を使用する場合、マイクロポンプ及び流量計の吐出量に対する整合性についての検討が必要である。整合性が良くない場合、吐出量の制御が不安定又は出来なくなり、且つ上述した吐出量に対する整合性の問題に加えて、構造部材の増加によるコスト面の問題もある。
【０００３】
上述のマイクロポンプの欠点を改善するために、メーカーは流量計をマイクロポンプの内部に設計したが、このような設計でマイクロポンプの内部の部材が増加し、且つ更に複雑になった。その結果、マイクロポンプの構造部材及びコストが増々増加する傾向となった。
【０００４】
また、上述のマイクロポンプの欠点を改善するために、あるメーカーはマイクロポンプを隔膜型に設計し、モーターを介して円運動させ、更に、機械装置によってマイクロポンプにおける隔膜を往復運動させることで、マイクロポンプのポンプチャンバーにある空気の圧縮を繰り返し、且つ逆止弁を使用することで、マイクロポンプの吐出口又は吸込口で外部大気との圧力差を形成させ、この形成した圧力差の作用で、水を吸込口に吸い込んで、吐出口から吐出させる。このような設計で、マイクロポンプの小型家電製品、医療機器などの製品への使用は可能になるが、精密な流量制御は難しい。
【０００５】
したがって、マイクロポンプの流量制御の欠点を改善することが、当該分野の課題である。
【考案の概要】
【考案が解決しようとする課題】
【０００６】
上記の技術背景に鑑みて、産業上の特殊な需要を満たすために、本考案は計数型磁力ポンプ及びその計数モジュールを提供し、上述の従来技術で達成できなかった課題を解決する。
【０００７】
上記の目的を達成するために、本考案は第１チャンバーを有するメインハウジングを有し、前記メインハウジングの一端に貫通孔が設けられ、且つ他の一端に第１開口が設けられる。モーターの回転軸が前記貫通孔を貫通して設けられ、前記第１チャンバーの内側に光遮断器が設けられ、少なくとも１つの遮光部材が前記第１チャンバーに配置され、且つ前記回転軸に套設して固定され、前記回転軸によって連動して回転し、前記少なくとも１つの遮光部材の少なくとも１つの遮光シートが前記光遮断器の光源を周期的に遮断することによって、前記光遮断器が少なくとも１つの信号を形成し、制御回路と前記光遮断器とを電気的に接続させ、前記少なくとも１つの信号を受信し、計数プログラムを実行する。前記第１チャンバーに少なくとも１つの第１磁性素子が配置され、前記回転軸に套設して固定される。隔板体は、前記メインハウジングの第１開口に配置され、且つ前記隔板体の一端の中央部に第１凹部を設けられる。蓋部は、前記隔板体の一端に蓋設され、前記蓋部の内側に第２チャンバーが設けられ、上端部に吸込口が設けられ、側面に吐出口が設けられ、内側の一端に第３凹部が設けられ、前記第３凹部が前記第１凹部に対向して設けられる。前記蓋部の第２チャンバーに羽根車群が配置され、前記羽根車群を介して流体を動かせ、前記蓋部の第２チャンバーに第２磁性素子が配置され、前記第２磁性素子を介して、前記第１磁性素子の磁力を受けて、運動エネルギーを生じる。中心軸が前記蓋部の第２チャンバー内に配置され、前記中心軸を介して前記回転部材と前記第２磁性素子とが套設して固定され、且つ一端が前記第１凹部に配置され、他の一端が第３凹部に配置される。これによって、流量を計数する目的を達成する。
【課題を解決するための手段】
【０００８】
本考案の他の目的を達成するための、本考案に係る計数型磁力ポンプは、メインハウジングと、モーターと、光遮断器と、少なくとも１つの遮光部材と、制御回路と、少なくとも１つの第１磁性素子と、隔板体と、蓋部と、羽根車群と、第２磁性素子と、中心軸とを含む。前記メインハウジングは、第１チャンバーを有し、前記メインハウジングの一端に貫通孔が設けられ、且つ前記メインハウジングの他の一端に第１開口が設けられる。前記モーターは、前記貫通孔を貫通する回転軸を有する。前記光遮断器は、前記第１チャンバーの内側に設置される。前記遮光部材は、前記第１チャンバーに位置され、且つ前記回転軸に套設して固定され、前記回転軸によって連動して回転し、前記少なくとも１つの遮光部材は少なくとも１つの遮光シートを有し、前記光遮断器の光源を周期的に遮断し、且つ前記光遮断器が少なくとも１つの信号を形成する。前記制御回路は、前記光遮断器に電気的に接続され、前記少なくとも１つの信号を受信することで、計数プログラムを実行する。前記少なくとも１つの第１磁性素子は、前記第１チャンバーに配置され、且つ前記回転軸に套設して固定される。前記隔板体は、前記メインハウジングの第１開口に配置され、且つ前記隔板体の一端の中央部に第１凹部を設けられる。前記蓋部は、前記隔板体の一端を蓋設され、且つ前記蓋部の内側に第２チャンバーが設けられ、上端部に吸込口が設けられ、側面に吐出口が設けられ、内側の一端に第３凹部が設けられ、前記第３凹部と前記第１凹部とはお互いに対応する。前記羽根車群は、前記蓋部の第２チャンバーに配置されて流体を動かせる。前記第２磁性素子は、前記蓋部の第２チャンバーに配置され、前記第１磁性素子の磁力を受けて運動エネルギーを生成する。前記中心軸は、前記蓋部の第２チャンバーに配置され、前記回転部材と前記第２磁性素子とを貫通して固定させ、且つ一端が前記第１凹部に配置され、他の一端が第３凹部に配置される。
【０００９】
本考案の他の実施形態において、前記の少なくとも１つの遮光部材は２つの遮光シートを有する場合、前記２つの光シートの成す角度が１８０°であり、当該成す角度が前記光遮断器の光源遮断周期である。
【００１０】
本考案の他の実施形態において、前記の少なくとも１つの遮光部材は３つの遮光シートを有する場合、前記３つの遮光シートの成す角度が１２０°であり、当該成す角度が前記光遮断器の光源遮断周期である。
【００１１】
本考案の他の実施形態において、前記の少なくとも１つの遮光部材は４つの遮光シートを有する場合、前記４つの遮光シートの成す角度が９０°であり、当該成す角度が前記光遮断器の光源遮断周期である。
【００１２】
本考案の他の実施形態において、前記の回転部材は羽根車群又はギア群を更に含む。
【００１３】
本考案の他の実施形態において、前記の制御回路が前記計数プログラムを実行して制御信号を生成し、且つ前記回転部材の動作を制御し、流体の放出量を調節する。
【００１４】
本考案の他の目的を達成するための、本考案に係る磁力ポンプの計数モジュールは、光遮断器と、遮光部材と、制御回路とを含む。前記光遮断器は、前記磁力ポンプにおけるメインハウジングの第１チャンバーの内側に配置され、前記メインハウジングの一端に回転軸が貫通する貫通孔が設けられ、且つ前記メインハウジングの他の一端に第１開口が設けられる。前記遮光部材は、少なくとも１つであり、前記第１チャンバーの前記回転軸を介して回転させ、特定の周期で前記光遮断器の光源を遮断し、前記光遮断器が光源を遮断する周期的な変化に応じて少なくとも１つの周期信号を生成する。前記制御回路は、前記光遮断器に電気的に接続され、前記少なくとも１つの信号を受信し、計数プログラムを実行する。
【００１５】
本考案の他の実施形態において、前記特定の周期は、前記回転軸の回転角度により計算され、前記特定の周期は360度と、180度と、120度と、90度を含む。
【００１６】
本考案の他の実施形態において、前記少なくとも１つの遮光部材は、回転運動する時に前記光遮断器の光源を遮断させるように、少なくとも１つの遮光シートを含み、前記少なくとも１つの遮光シートは、前記特定の周期に必要な数量配列を達成するように、前記回転軸に形成される。
【００１７】
本考案の他の実施形態において、前記磁力ポンプは、モーターと、少なくとも１つの第１磁性素子と、隔板体と、磁性回転モジュールと、中心軸とを更に含む。前記モーターは前記回転軸を回転させる。前記少なくとも１つの第１磁性素子は、前記第１チャンバーに配置され、前記回転軸が前記第１磁性素子に套設して固定させ、前記回転軸を介して前記第１磁性素子を連動させる。前記隔板体は、前記メインハウジングの第１開口に配置され、且つ前記隔板体の一端の中央部に第１凹部が設けられる。前記蓋部は、前記隔板体の一端を蓋設され、且つ前記蓋部の内側に第２チャンバーが設けられ、並前記頂部に吸込口が設けられ、側面に吐出口が設けられ、前記蓋部の内側の一端に第３凹部が設けられ、前記第３凹部と前記第１凹部とはお互いに対応する。前記磁性回転モジュールは、前記蓋部の第２チャンバーに配置され、流体を動かし、且つ前記少なくとも１つの第１磁性素子の磁力を受けて運動エネルギーを生成する。前記中心軸は、前記蓋部の第２チャンバーに配置され、前記回転部材と前記第２磁性素子とを貫通して固定させ、且つ一端が前記第１凹部に配置され、他の一端が第３凹部に配置される。
【００１８】
本考案の他の実施形態において、前記の磁性回転モジュールは羽根車群又はギア群を更に含む。
【００１９】
本考案の他の実施形態において、前記磁性回転モジュールは少なくとも１つの第２磁性素子を更に含み、且つ前記蓋部の第２チャンバー内に配置され、前記少なくとも１つの磁性素子の磁力を受け、運動エネルギーを生成する。
【００２０】
本考案に係る計数型磁力ポンプは主に、メインハウジングと、モーターと、少なくとも１つの第１磁性素子と、計数装置と、隔板体と、蓋部と、磁性回転モジュールと、中心軸とを含む。前記メインハウジングは第１チャンバーを有し、前記メインハウジングの一端に貫通孔が設けられ、且つ前記メインハウジングの他の一端に第１開口が設けられる。前記モーターは、前記貫通孔を貫通する回転軸を有する。前記少なくとも１つの第１磁性素子は、前記第１チャンバーに配置され、且つ前記回転軸に套設して固定される。前記計数装置は、前記回転軸の回転によって連動され、特定の周期で光源の開閉効果を達成し、且つ前記計数装置が前記特定の周期で生成される信号によって計数プログラムを実行させることができる。前記隔板体は、前記メインハウジングの第１開口に配置され、且つ前記隔板体の一端の中央部に第１凹部を設けられる。前記蓋部は、前記隔板体の一端に蓋設され、且つ前記蓋部の内側に第２チャンバーが設けられ、前記頂部に吸込口が設けられ、側面に吐出口が設けられ、内側の一端に第３凹部が設けられ、前記第３凹部と前記第１凹部とがお互いに対応する。前記磁性回転モジュールは、前記蓋部の第２チャンバー内に配置され、流体を動かし、且つ前記少なくとも１つの第１磁性素子の磁力を受けて運動エネルギーを生成する。前記中心軸は、前記蓋部の第２チャンバー内に配置され、前記磁性回転モジュールを貫通して固定させ、且つ一端が前記第１凹部に配置され、他の一端が第３凹部に配置される。
【００２１】
本考案の他の実施形態において、前記の計数装置は、光遮断器と、少なくとも１つの遮光部材と、制御回路とを含む。前記光遮断器は、前記第１チャンバーの内側に配置される。前記少なくとも１つの遮光部材は、前記回転軸によって回転され、前記特定の周期で前記光遮断器の光源を遮断し、前記光遮断器が光源を遮断する特定の周期に応じて前記信号を生成する。前記制御回路は、前記光遮断器に電気的に接続され、前記周期信号を受信することにより前記計数プログラムを実行する。
【００２２】
本考案の他の実施形態において、前記の特定の周期は、前記回転軸の回転角度により計算され、前記特定の周期は360度と、180度と、120度と、90度を含む。
【００２３】
本考案の他の実施形態において、前記の少なくとも１つの遮光部材は、回転運動する時に前記光遮断器の光源を遮断させるように、少なくとも１つの遮光シートを含み、前記少なくとも１つの遮光シートは、前記特定の周期を達成するような個数で前記回転軸に配列して設けられる。
【００２４】
本考案の他の実施形態において、前記の制御回路が前記計数プログラムを実行して制御信号を形成し、且つ前記磁性回転モジュールの動作を制御し、流体の放出量を調節する。
【００２５】
本考案の他の実施形態において、前記の磁性回転モジュールは羽根車群又はギア群を更に含む。
【００２６】
本考案の他の実施形態において、前記磁性回転モジュールは少なくとも１つの第２磁性素子を更に含み、前記蓋部の第２チャンバー内に配置され、前記少なくとも１つの第１磁性素子の磁力を受け、運動エネルギーを生成する。
【図面の簡単な説明】
【００２７】
【図１】図１は本考案に係る計数型磁力ポンプの実施形態を示す図である。
【図２】図２は本考案に係る各実施形態においる遮光部材の個数変化及び作動を示す図である。
【図３】図３は本考案に係る計数型磁力ポンプのもう一つの実施形態を示す図である。
【考案を実施するための形態】
【００２８】
本考案は計数型磁力ポンプ及びその計数モジュールに関するものであり、本考案の内容を理解し易くするために、以下に詳細な構造、構成要素及び使用方法について説明する。本考案の実施は、当業者に知られている計数型磁力ポンプ及びその計数モジュールの従来の特殊な詳細設計に限定されない。一方、更に、より明確な説明及び当業者が本考案の内容を理解できるように、全ての図面においては規定又は相対的に大きさである尺度で示されていることではなく、且つ図面を簡潔するために、詳細な部分が描かれていない。本考案の好ましい実施形態は、以下のように詳細的に記載されているが、これらの記載に加えて、本考案がより広い範囲である他の実施形態で実施することができ、考案の範囲が限定されない。
【００２９】
図１〜図２Dは、本考案に係る計数型磁力ポンプの実施形態を示し、前記計数型磁力ポンプは主に、メインハウジング11と、モーター12と、光遮断器13と、少なくとも１つの遮光部材14と、制御回路15と、少なくとも１つの第１磁性素子16と、隔板体17と、蓋部18と、回転部材19と、第２磁性素子21と、中心軸22とを含む。前記メインハウジング11は、第１チャンバー111を有し、前記メインハウジング11の一端に貫通孔112が設けられ、前記メインハウジング11の他の一端に第１開口113が設けられる。前記モーター12は、前記貫通孔112を貫通する回転軸121を有する。前記光遮断器13は、前記第１チャンバー111の内側に配置される。前記少なくとも１つの遮光部材14は、前記第１チャンバー111に配置され、且つ前記回転軸121に套設されて固定され、前記回転軸121によって回転され、前記少なくとも１つの遮光部材14は少なくとも１つの遮光シート141を有し、前記光遮断器13の光源を周期的に遮断し、且つ前記光遮断器13は少なくとも１つの信号を形成する。前記制御回路15は、前記光遮断器13に電気的に接続され、前記少なくとも１つの信号を受信することで、計数プログラムを実行する。前記少なくとも１つの第１磁性素子16は、前記第１チャンバー111に配置され、且つ前記回転軸121に套設されて固定される。前記隔板体17は、前記メインハウジング11の第１開口113に位置され、且つ前記隔板体17の一端の中央部に第１凹部171が設けられる。前記蓋部18は、前記隔板体17の一端に蓋設され、且つ前記蓋部18の内側に第２チャンバー181が設けられ、上端部に吸込口182が設けられ、側面に吐出口183が設けられ、内側の一端に第３凹部184が設けられ、前記第３凹部184と前記第１凹部171とはお互いに対応する。前記回転部材19は、前記蓋部18の第２チャンバー181内に配置されて流体を動かせる。前記第２磁性素子21は、前記蓋部18の第２チャンバー181内に配置され、前記第１磁性素子16の磁力を受けて運動エネルギーを生成する。前記中心軸22は、前記蓋部18の第２チャンバー181内に配置され、前記回転部材19と前記第２磁性素子21とを貫通して固定させ、且つ一端が前記第１凹部171に配置され、他の一端が第３凹部184に配置される。また、図３に示すように、前記光遮断器と少なくとも１つの遮光部材を更に含み、前記光遮断器が前記回転軸の他の一端に設けられることができ、前記少なくとも１つの遮光部材が前記回転軸に套設して固定され、且つ前記回転軸によって回転されることができる。前記少なくとも１つの遮光部材は少なくとも１つの遮光シートを有し、前記光遮断器の光源を周期的に遮断し、且つ光遮断器は少なくとも１つの信号を形成する。
【００３０】
本実施形態において、前記少なくとも１つの遮光部材14は２つの遮光シート141を有する場合、前記２つの遮光シート141の成す角度が１８０°であり、この成す角度は前記光遮断器13の光源遮断周期である。
【００３１】
本実施形態において、前記少なくとも１つの遮光部材14は３つの遮光シート141をする場合、前記３つの遮光シート141の成す角度が１２０°であり、この成す角度は前記光遮断器13の光源遮断周期である。
【００３２】
本実施形態において、前記少なくとも１つの遮光部材14は４つの遮光シート141をする場合、前記４つの遮光シート141の成す角度が９０°であり、この成す角度は前記光遮断器13の光源遮断周期である。
【００３３】
本実施形態において、前記回転部材19は羽根車群又はギア群を更に含む。
【００３４】
本実施形態において、前記制御回路15は前記計数プログラムを実行して制御信号を生成させ、且つ前記回転部材19の動作を制御し、流体の放出量を調整する。
【００３５】
本考案に係る計数型磁力ポンプが運転中において、前記モーター12の動作によって前記回転軸121を回転させ、前記回転軸121は前記メインハウジング11の貫通孔112を貫通し、前記回転軸121が前記第１チャンバー111内に位置させ、前記回転軸121が回転するとともに、前記回転軸121に套設される前記少なくとも１つの遮光部材14、及び前記少なくとも１つの第１磁性素子16を連動させ、前記少なくとも１つの遮光部材14の前記少なくとも１つの遮光シート141は、前記第１チャンバー111の内側に位置される前記光遮断器13の光源を周期的に遮断させ、前記光遮断器13が信号を生成する。また、図３に示すように、前記回転軸121は前記メインハウジング11の一端にある貫通孔112を貫通し、且つ前記メインハウジング11の他の一端に第1開口113が設けられる。前記光遮断器13と前記少なくとも１つの遮光部材14を更に含み、前記光遮断器13が前記回転軸121の他の一端に設けられ、前記少なくとも１つ遮光部材14が前記回転軸によって回転され、特定の周期に前記光遮断器の光源を遮断し、前記光遮断器13は遮断される光源の周期的な変化によって少なくとも１周期な信号を形成する。
【００３６】
また、図２A〜図２Dに示すように、前記少なくとも１つの遮光部材141は２つの遮光シート141を有する場合、前記２つの遮光シート141の成す角度が１８０°であり、この角度は前記光遮断器13の光源遮断周期である。又は、前記少なくとも１つの遮光部材141は３つの遮光シート141をする場合、前記遮光シート141の成す角度が１２０°であり、この成す角度は前記光遮断器13の光源遮断周期である。又は、前記少なくとも１つの遮光部材141は４つの遮光シート141をする場合、前記遮光シート141の成す角度が９０°であり、この成す角度は前記光遮断器13の光源遮断周期である。
【００３７】
前記光遮断器13が生成する前記信号は、前記光遮断器13に電気的に接続される制御回路15で受信されて前記計数プログラムを実行し、且つ前記制御信号を生成し、前記制御信号を通じて前記回転部材19の動作を制御して流体の放出量を調整する。また、前記回転軸121が回転するとともに、前記少なくとも１つの第１磁性素子16を回転させ、前記少なくとも１つの第１磁性素子16を前記第１チャンバー111内で回転させる。
【００３８】
本実施形態において、前記光遮断器13と、前記少なくとも１つの遮光部材14と、前記制御回路15とを組合せて、計数装置3を形成でき、前記計数装置3の回転によって、特定の周期に光源の開閉効果が達成され、且つ前記計数装置は前記特定の周期で生成する前記信号に応じて前記計数プログラムを実行させることができる。
【００３９】
前記隔板体17は前記メインハウジング11の第１開口113に配置され、前記隔板体17の一端の中央部位に前記第１凹部171が設けられ、前記蓋部18は前記隔板体17の一端に蓋設され、前記蓋部18の内側に前記第２チャンバー181が設けられ、前記蓋部18の上端部に前記吸込口182が設けられ、側面に前記吐出口183が設けられ、また前記蓋部18の内側の(即ち前記第２チャンバー181)一端に前記第３凹部184が設けられ、前記第３凹部184と前記第１凹部171とはお互いに対応する。
【００４０】
また、前記隔板体17の周縁部に第２凹部が周設され（図面に示さず）、前記第２凹部172は、防水部材を配置するように設けられる（図面に示さず）。
【００４１】
前記第２チャンバー181内に前記回転部材19と、前記第２磁性素子21と前記中心軸22とが配置され、前記回転部材19(即ち羽根車群又はギア群)は、前記吸込口182から前記第２チャンバー181に吸い込まれた流体を動かせ、流体を前記第２チャンバー181から前記吐出口183を経て流出させる。前記第２磁性素子21は前記少なくとも１つの第１磁性素子16の磁力を受けて前記運動エネルギーを生成し、前記中心軸22は前記回転部材19と前記第２磁性素子21とを套設して固定させ、且つ前記中心軸22の一端は前記第１凹部171に配置され、他の一端は前記第３凹部184に配置される。
【００４２】
また、本実施形態において、前記回転部材19と前記第２磁性素子21とを組合せて、磁性回転モジュール20を形成でき、前記磁性回転モジュール20は前記蓋部18の第２チャンバー181に配置され、前記磁性回転モジュール20は前記第２磁性素子21を介して前記第１磁性素子16と磁気的結合されることにより、前記回転部材19を前記第１磁性素子16と同時に同方向に連動させ、流体を動かせる。
【００４３】
図１は、本考案に係る磁力ポンプの計数モジュールの他の実施形態を示し、前記磁力ポンプは主に、光遮断器13と、少なくとも１つの遮光部材14と、制御回路15とを含む。前記光遮断器13は、前記磁力ポンプにおけるメインハウジング11の第１チャンバー111の内側に配置され、回転軸121は前記メインハウジング11の一端にある貫通孔112を貫通して配置され、且つ前記メインハウジング11の他の一端に第１開口113が設けられる。前記少なくとも１つの遮光部材14は、前記第１チャンバー111の前記回転軸121を介して回転され、特定の周期で前記光遮断器13の光源を遮断し、前記光遮断器13が光源を遮断する周期的な変化を応じて、少なくとも１つの周期信号を生成する。前記制御回路15は、前記光遮断器13に電気的に接続され、前記少なくとも１つの信号を生成し、計数プログラムを実行する。また、図３に示すように、前記光遮断器13と前記少なくとも１つ遮光部材14とを更に含み、前記光遮断器13が前記回転軸121の他の一端に設けられることができ、更に、前記少なくとも１つ遮光部材14が前記回転軸121に位置され、且つ前記回転軸121によって回転されることができる。前記少なくとも１つ遮光部材14は少なくとも１つ遮光シート141を有し、前記光遮断器13の光源を周期的に遮断し、前記光遮断器13は少なくとも１つ信号を形成する。
【００４４】
本実施形態において、前記特定の周期は前記回転軸121の回転角度で計算して得られ、前記特定の周期は360度と、180度と、120度と、90度を含む。
【００４５】
本実施形態において、前記少なくとも１つの遮光部材14は少なくとも１つの遮光シート141を更に含み、回転する時に前記光遮断器13の光源を遮断することができ、前記少なくとも１つの遮光シート141は、前記特定の周期を達成する個数に応じて前記回転軸121に配列して設けられる。
【００４６】
本実施形態において、前記磁力ポンプは、モーター12と、隔板体17と、蓋部18と、回転部材19と、少なくとも１つの第１磁性素子16と、少なくとも１つの第２磁性素子21と、中心軸22とを含む。前記モーター12は前記回転軸121を回転させる。前記隔板体17は、前記メインハウジング11の第１開口113に配置され、且つ前記隔板体17の一端の中央部に第１凹部171を設けられる。前記蓋部18は前記隔板体17の一端に蓋設され、前記蓋部18の内側に第２チャンバー181が設けられ、前記頂部に吸込口182が設けられ、側面に吐出口183が設けられ、前記蓋部18の内側の一端に第３凹部184が設けられ、前記第３凹部184と前記第１凹部171とはお互いに対応する。前記回転部材19は、前記蓋部18の第２チャンバー181内に配置され、流体を動かすことができる。前記少なくとも１つの第１磁性素子16は、前記第１チャンバー111に配置され、前記回転軸121が前記第１磁性素子16を套接して固定させ、前記回転軸121によって前記第１磁性素子16を連動させる。前記少なくとも１つの第２磁性素子21は、前記蓋部18の第２チャンバー181内に配置され、前記少なくとも１つの第１磁性素子16の磁力を受けて運動エネルギーを生成する。前記中心軸22は、前記蓋部18の第２チャンバー181内に配置され、前記回転部材19と前記第２磁性素子21とを貫通して固定させ、且つ一端が前記第１凹部171に配置され、他の一端が第３凹部184に配置される。
【００４７】
本実施形態において、前記回転部材19は羽根車群又はギア群を更に含んで流体を動かすことができる。
【００４８】
本実施形態に係る磁力ポンプに用いられる計数モジュールは、前述の計数型磁力ポンプの実施形態での動作方式と同様であり、ここでは詳細な説明を省略する。
【００４９】
上述した内容により、本考案に係る計数型磁力ポンプ及びその遮光モジュールは、第１チャンバー111を有するメインハウジング11を含み、前記メインハウジング11の一端に前記貫通孔112が設けられ、且つ他の一端に前記第１開口113が設けられ、前記モーター12の回転軸121は前記貫通孔112を貫通する。前記第１チャンバー111の内側に前記光遮断器13が設けられ、前記少なくとも１つの遮光部材14が前記第１チャンバーに位置され、前記回転軸121に套設して固定され、且つ前記回転軸121によって回転させ、前記少なくとも１つの遮光部材14における前記少なくとも１つの遮光シート141が前記光遮断器13の光源を周期的に遮断し、前記光遮断器13が少なくとも１つの信号を生成させる。前記制御回路15は前記光遮断器13に電気的に接続され、前記少なくとも１つの信号を受信し、前記計数プログラムを実行する。前記第１チャンバー111に前記少なくとも１つの第１磁性素子16が設けられ、前記回転軸121に套設して固定される。前記隔板体17は前記メインハウジング11の第１開口113に位置され、且つ前記隔板体17の一端の中央部位に前記第１凹部171が設けられる。前記蓋部18は前記隔板体17の一端に蓋設され、前記蓋部18の内側に前記第２チャンバー181が設けられ、上端部に前記吸込口182が設けられ、側面に前記吐出口183が設けられ、内側の一端に前記第３凹部184が設けられ、前記第３凹部184と前記第１凹部171とはお互いに対応する。前記蓋部18の第２チャンバー181に前記回転部材19が設けられ、前記回転部材19を介して流体を動かせ、前記蓋部18の第２チャンバー181に前記第２磁性素子21が設けられ、前記第２磁性素子21を介して前記第１磁性素子16磁力を受けて前記運動エネルギーを生成する。前記中心軸22は前記蓋部18の第２チャンバー181内に位置され、前記中心軸22を介して前記回転部材19と前記第２磁性素子21とを貫通して固定させ、且つ一端が前記第１凹部171に配置され、他の一端が第３凹部184に配置される。これによって、流量を計数する目的を達成する。また、図３に示すように、前記光遮断器13と前記少なくとも１つの遮光部材14を更に含み、前記光遮断器13が前記回転軸121の他の一端に設けることができ、前記遮光部材14が前記回転軸121に套設して固定され、且つ前記回転軸121によって回転され、前記少なくとも１つの遮光部材14は少なくとも１つの遮光シート141を有し、前記光遮断器13の光源を周期的に遮断し、且つ前記光遮断器13は少なくとも１つの信号を形成する。
【００５０】
上述の実施形態で説明した内容によれば、本考案に係る変更及び修正の余地があることは明白である。上述の詳細な説明に加えて、本考案は他の実施形態で実施されてもよい。なお、上述の実施形態は好ましい例として挙げられたが、本考案の請求の範囲を限定することではない。本考案の請求の範囲の趣旨から逸脱しない範囲内の変更又は修正は、本考案の請求の範囲内に含まれるべきである。
【符号の説明】
【００５１】
11 メインハウジング
111 第１チャンバー
112 貫通孔
113 第１開口
12 モーター
121 回転軸
13 光遮断器
14 遮光部材
141 遮光シート
15 制御回路
16 第１磁性素子
17 隔板体
171 第１凹部
18 蓋部
181 第２チャンバー
182 吸込口
183 吐出口
184 第３凹部
19 回転部材
20 磁性回転モジュール
21 第２磁性素子
22 中心軸
3 計数装置
【図１】
0003213657.tif 000003
【図２】
0003213657.tif 000004
【図３】
0003213657.tif 000005